(57)【要約】【課題】シンプル構成で組み立て性がよく、取り付けられた接続端子用のカバーの脱落を確実に防止できる電子機器を提供する。【解決手段】端子カバー５０は、カバー本体６２と、そのカバー本体６２の内側から垂直に延びる板状の引出片６４と、引出片６４の先端に設けられたストッパ部６６とで構成される。デジタルカメラの組み立て時には、端子カバー５０の引出片６４をメイン基板７６の上に載置し、その上に液晶モニタの保持フレーム７８を取り付ける。保持フレーム７８には、抜止部７８Ａが形成されており、ストッパ部６６に係合して、引出片６４を抜け止めする。【選択図】      図１６
2008198806.tif 000002
【特許請求の範囲】
【請求項１】
外装体の内側に板状部材が複数積層して配置されるとともに、該板状部材の一つに取り付けられた接続端子の先端部が前記外装体の表面に露出して設けられた電子機器において、
前記外装体に装着されて前記接続端子の先端部を覆うカバー本体と、該カバー本体の内側から垂直に延びる板状の引出片と、該引出片の先端片側面から突出して設けられたストッパ部とからなり、前記引出片が前記板状部材の一つである第１の板状部材に載置されて、摺動自在に支持されるカバー部材と、
前記第１の板状部材に一体的に形成され、前記引出片を前記接続端子の挿抜方向に直動ガイドするガイド部と、
前記板状部材の一つである第２の板状部材に一体的に形成され、前記ストッパ部と係合して前記引出片を抜け止めする抜止部と、
を備えたことを特徴とする電子機器。
【請求項２】
前記ガイド部は、前記第１の板状部材に突出して形成された一対のガイド部材であって、該一対のガイド部材の間に前記引出片を通して、該引出片を前記接続端子の挿抜方向に直動ガイドすることを特徴とする請求項１に記載の電子機器。
【請求項３】
前記ガイド部は、前記第１の板状部材に形成されたガイド溝であって、該ガイド溝に前記引出片を嵌めて、該引出片を前記接続端子の挿抜方向に直動ガイドすることを特徴とする請求項１に記載の電子機器。
【請求項４】
前記接続端子は、前記第１の板状部材に取り付けられるとともに、その側面に前記ガイド部が形成され、該接続端子の側面に前記引出片の片縁を沿わせて、前記引出片を前記接続端子の挿抜方向に直動ガイドすることを特徴とする請求項１に記載の電子機器。
【請求項５】
前記抜止部は、前記第２の板状部材から前記第１の板状部材に向けて突出して形成された形成された突起であることを特徴とする請求項１〜４のいずれか一に記載の電子機器。
【請求項６】
前記引出片が前記第１の板状部材と前記突起との間で挟持されることを特徴とする請求項５に記載の電子機器。
【請求項７】
前記突起が、前記第２の板状部材に一体的に形成された板バネ部の先端に形成されることを特徴とする請求項６に記載の電子機器。
【請求項８】
前記抜止部は、前記第２の板状部材に形成される溝又は孔であって、該溝又は孔内を前記ストッパ部が摺動し、該溝又は孔の端部に前記ストッパ部が係合して、前記引出片を抜け止めすることを特徴とする請求項１〜４のいずれか一に記載の電子機器。
【請求項９】
前記引出片が前記第１の板状部材と前記第２の板状部材との間で挟持されることを特徴とする請求項８に記載の電子機器。
【請求項１０】
前記カバー本体の内側に前記接続端子の先端部が嵌合する凹部が形成されることを特徴とする請求項１〜９のいずれか一に記載の電子機器。
【発明の詳細な説明】
【技術分野】
【０００１】
本発明は電子機器に係り、特に外装体の表面に接続端子を備えるとともに、その接続端子を覆うカバーを備えた電子機器に関する。
【背景技術】
【０００２】
デジタルカメラや携帯電話、ポータブルオーディオプレイヤ等の携帯式の電子機器には、外装体の表面に電源端子やＰＣ接続端子（ＵＳＢ端子、ＩＥＥＥ１３９４端子等）等の各種接続端子が設けられている。これらの接続端子は、ホコリなどが侵入すると、故障や動作不良の原因となることから、未使用時はカバーで覆われて、表面から露出しないようにされている。そして、この接続端子用のカバーは、紛失を防止するため、通常、機器本体から分離、脱落不能に取り付けられる。
【０００３】
従来、この接続端子用のカバーの取り付け構造として、特許文献１には、接続端子を覆うカバー部にアーム部を一体的に形成し、そのアーム部を機器の外装体に形成された挿入孔に挿入して抜け止め片に係合させることにより、アーム部が挿入孔から抜けないようにして、カバー部が機器本体から分離、脱落するのを防止する構造が記載されている。
【０００４】
また、特許文献２には、弾性材によって楔形状に形成された挿入片をカバーに一体成形し、その挿入片を機器の外装体に形成された窓孔に弾性変形させながら挿入することにより、カバーが機器本体から分離、脱落するのを防止する構造が記載されている。同様に、特許文献３には、接続端子を覆う蓋部に弾性変形可能な舌片部を一体形成し、その舌片部を機器に形成された一対のボスの間に弾性変形させながら挿入することにより、蓋部が機器本体から分離、脱落するのを防止する構造が記載されている。
【特許文献１】特開２００５−１５９８９５号公報
【特許文献２】特開２０００−３１８５７号公報
【特許文献３】特開２００１−２１０９７２号公報
【発明の開示】
【発明が解決しようとする課題】
【０００５】
しかしながら、特許文献１の構造では、カバー部材とは、別に抜け止め片が必要になり、部品点数が増加するという欠点がある。また、アーム部と抜け止め片とを係合させる作業が必要になり、組み立て性が悪いという欠点もある。
【０００６】
一方、特許文献２、３の構造では、窓孔に挿入片を弾性変形させながら差し込む作業が必要になり、組み立て性が悪いという欠点がある。また、窓孔に挿入片を差し込んで取り付ける構造のため、ユーザが力を入れてカバーを開けると、挿入片が窓孔から抜けて、カバーが取れてしまうという欠点もある。
【０００７】
本発明は、このような事情に鑑みてなされたもので、シンプル構成で組み立て性がよく、取り付けられた接続端子用のカバーの脱落を確実に防止できる電子機器を提供することを目的とする。
【課題を解決するための手段】
【０００８】
請求項１に係る発明は、前記目的を達成するために、外装体の内側に板状部材が複数積層して配置されるとともに、該板状部材の一つに取り付けられた接続端子の先端部が前記外装体の表面に露出して設けられた電子機器において、前記外装体に装着されて前記接続端子の先端部を覆うカバー本体と、該カバー本体の内側から垂直に延びる板状の引出片と、該引出片の先端片側面から突出して設けられたストッパ部とからなり、前記引出片が前記板状部材の一つである第１の板状部材に載置されて、摺動自在に支持されるカバー部材と、前記第１の板状部材に一体的に形成され、前記引出片を前記接続端子の挿抜方向に直動ガイドするガイド部と、前記板状部材の一つである第２の板状部材に一体的に形成され、前記ストッパ部と係合して前記引出片を抜け止めする抜止部と、を備えたことを特徴とする電子機器を提供する。
【０００９】
請求項１に係る発明によれば、カバー部材は、外装体に装着されて接続端子の先端部を覆うカバー本体と、そのカバー本体の内側から垂直に延びる板状の引出片と、引出片の先端片側面から突出して設けられたストッパ部とで構成され、その引出片が、外装体の内側に積層配置された板状部材の一つ（第１の板状部材）に載置される。第１の板状部材に載置された引出片は、その第１の板状部材に一体的に形成されたガイド部にガイドされて、接続端子の挿抜方向に支持される。また、外装体の内側に積層配置された板状部材の一つ（第２の板状部材）に一体的に形成され抜止部にストッパ部が係止されることにより、抜け止めされる。このような構成によれば、その組み立て工程において、まず、第１の板状部材を取り付け、その第１の板状部材の上にカバー部材の引出片を取り付け、さらに第１の板状部材の上に第２の板状部材を重ねるだけで、カバー部材を取り付けられ、組み立てが容易になる。すなわち、板状部材を積層して組み立てていく過程で同時にカバーも取り付けられるので、カバーの取り付けを含む機器の組み立てが極めて容易になる。また、引出片は、その先端部に取り付けられたストッパ部が、第２の板状部材に形成された抜止部に抜け止めされるので、脱落を確実に防止することができる。さらにガイド部及び抜止部は、それぞれ板状部材に一体的に形成されるので、部品点数が増加することもなく、構成も極めてシンプルにすることができる。
【００１０】
請求項２に係る発明は、前記目的を達成するために、前記ガイド部は、前記第１の板状部材に突出して形成された一対のガイド部材であって、該一対のガイド部材の間に前記引出片を通して、該引出片を前記接続端子の挿抜方向に直動ガイドすることを特徴とする請求項１に記載の電子機器を提供する。
【００１１】
請求項２に係る発明によれば、カバー部材の引出片を直動ガイドするガイド部が、第１の板状部材に突出して形成された一対のガイド部材で構成される。この結果、カバー部材の取り付けは、引出片を一対のガイド部材の間に通して、第１の板状部材の上に載置するだけで済み、機器の組み立てが極めて簡単になる。
【００１２】
請求項３に係る発明は、前記目的を達成するために、前記ガイド部は、前記第１の板状部材に形成されたガイド溝であって、該ガイド溝に前記引出片を嵌めて、該引出片を前記接続端子の挿抜方向に直動ガイドすることを特徴とする請求項１に記載の電子機器を提供する。
【００１３】
請求項３に係る発明によれば、カバー部材の引出片を直動ガイドするガイド部が、第１の板状部材に形成されたガイド溝で構成される。この結果、カバー部材の取り付けは、引出片をガイド溝に嵌め込むだけで済み、機器の組み立てが極めて簡単になる。
【００１４】
請求項４に係る発明は、前記目的を達成するために、前記接続端子は、前記第１の板状部材に取り付けられるとともに、その側面に前記ガイド部が形成され、該接続端子の側面に前記引出片の片縁を沿わせて、前記引出片を前記接続端子の挿抜方向に直動ガイドすることを特徴とする請求項１に記載の電子機器を提供する。
【００１５】
請求項４に係る発明によれば、接続端子が第１の板状部材に取り付けられ、その側面にガイド部が形成される。カバー部材の引出片は、接続端子の側面に片縁を沿わせることにより、接続端子の挿抜方向に直動ガイドされる。これにより、別途ガイド部を設けることなく、カバー部材の引出片を直動ガイドすることができ、構成を更にシンプルにすることができる。また、カバー部材の取り付けは、引出片の片縁が接続端子の側面に沿うようにして、引出片を第１の板状部材の上に載置するだけで済み、機器の組み立てが極めて簡単になる。
【００１６】
請求項５に係る発明は、前記目的を達成するために、前記抜止部は、前記第２の板状部材から前記第１の板状部材に向けて突出して形成された形成された突起であることを特徴とする請求項１〜４のいずれか一に記載の電子機器を提供する。
【００１７】
請求項５に係る発明によれば、ストッパ部に係合して引出片の抜け止めを行う抜止部が、第２の板状部材から第１の板状部材に向けて突出して形成された形成された突起で構成される。これにより、構成を極めてシンプルにすることができる。また、抜け止めも確実に行うことができる。さらに、第２の板状部材を取り付ける過程で自動的に抜け止めとして作用させることができるので、機器の組み立ても極めて簡単にすることができる。
【００１８】
請求項６に係る発明は、前記目的を達成するために、前記引出片が前記第１の板状部材と前記突起との間で挟持されることを特徴とする請求項５に記載の電子機器を提供する。
【００１９】
請求項６に係る発明によれば、引出片が、第１の板状部材と、抜止部としての突起との間で挟持される。これにより、引出片の引き抜きに摩擦抵抗が与えられ、カバー部材の保持をより確実なものにすることができる。
【００２０】
請求項７に係る発明は、前記目的を達成するために、前記突起が、前記第２の板状部材に一体的に形成された板バネ部の先端に形成されることを特徴とする請求項６に記載の電子機器を提供する。
【００２１】
請求項７に係る発明によれば、抜止部としての突起が、第２の板状部材に一体的に形成された板バネ部の先端に形成される。これにより、適度な抵抗感を持たせて引出片の抜き差しができ、カバー部材の開閉時における操作感を向上させることができる。
【００２２】
請求項８に係る発明は、前記目的を達成するために、前記抜止部は、前記第２の板状部材に形成される溝又は孔であって、該溝又は孔内を前記ストッパ部が摺動し、該溝又は孔の端部に前記ストッパ部が係合して、前記引出片を抜け止めすることを特徴とする請求項１〜４のいずれか一に記載の電子機器を提供する。
【００２３】
請求項８に係る発明によれば、抜止部が、第２の板状部材に形成される溝又は孔で構成され、その溝又は孔内をストッパ部が摺動し、溝又は孔の端部にストッパ部が係合して、引出片が抜け止めされる。これにより、構成を極めてシンプルにすることができる。また、抜け止めも確実に行うことができる。さらに、第２の板状部材を取り付ける過程で自動的に抜け止めとして作用させることができるので、機器の組み立ても極めて簡単にすることができる。
【００２４】
請求項９に係る発明は、前記目的を達成するために、前記引出片が前記第１の板状部材と前記第２の板状部材との間で挟持されることを特徴とする請求項８に記載の電子機器を提供する。
【００２５】
請求項９に係る発明によれば、引出片が第１の板状部材と第２の板状部材との間で挟持される。これにより、引出片の引き抜きに摩擦抵抗が与えられ、カバー部材の保持をより確実なものにすることができる。
【００２６】
請求項１０に係る発明は、前記目的を達成するために、前記カバー本体の内側に前記接続端子の先端部が嵌合する凹部が形成されることを特徴とする請求項１〜９のいずれか一に記載の電子機器を提供する。
【００２７】
請求項１０に係る発明によれば、カバー本体の内側に接続端子の先端部が嵌合する凹部が形成される。これにより、カバー部材を取り付ける際、カバー本体の内側に形成された凹部を接続端子の先端部が嵌合させることにより、カバー本体の位置決め及び仮止めをすることができ、機器の組み立てをさらに容易にすることができる。
【発明の効果】
【００２８】
本発明によれば、シンプル構成で組み立て性がよく、取り付けられた接続端子用のカバーの脱落を確実に防止できる。
【発明を実施するための最良の形態】
【００２９】
以下、添付図面を参照して本発明に係る電子機器を実施するための最良の形態について説明する。
【００３０】
図１は、本発明が適用されたデジタルカメラの一実施形態の外観構成を示す正面斜視図である。また、図２、図３は、それぞれ図１に示したデジタルカメラの背面斜視図である。なお、図２は、端子カバーを閉じた状態がしめされており、図３は、端子カバーを開いた状態が示されている。
【００３１】
図１〜３に示すように、このデジタルカメラ１０は、いわゆるコンパクトタイプのデジタルカメラであって、そのカメラボディ１２は、薄く四角い箱状に形成されている。
【００３２】
カメラボディ１２の正面には、図１に示すように、撮影レンズ１４、フラッシュ１６、ＡＦ補助光ランプ１８、マイク２０等が設けられており、上面には、シャッタボタン２２、ズームレバー２４、電源ボタン２６等が設けられている。
【００３３】
また、カメラボディ１２の背面には、図２、３に示すように、液晶モニタ２８、モードダイヤル３０、ＭＥＮＵ／ＯＫボタン３２、十字ボタン３４、再生ボタン３６、ファンクションボタン３８、ＤＩＳＰ／ＢＡＣＫボタン４０、露出補正ボタン４２、等が設けられており、底面には、スピーカ４４、三脚ネジ穴４６、開閉自在なバッテリカバー４８等が設けられている。
【００３４】
また、カメラボディ１２の一方側の側面（背面側から見て左側の側面）には、端子カバー５０によって開閉される端子部５２、赤外線通信ポート５４が設けられており、端子部５２には、ＰＣ接続端子５６及び電源端子５８が設けられている。
【００３５】
また、カメラボディ１２の他方側の側面（背面側から見て右側の側面）には、図示しないストラップ取り付け部が設けられている。
【００３６】
なお、本実施の形態のデジタルカメラ１０は、右手で撮影操作するように構成されている。すなわち、背面側から見てカメラボディ１２の左側部を把持して操作するように構成されている。
【００３７】
また、カメラボディ１２の外観を構成する外装体６０は、撮影レンズ１４の光軸方向の前後に二分割可能に構成されており、正面側部分を構成するフロントキャビネット６０Ｆと、背面側部分を構成するリアキャビネット６０Ｒとで構成されている。
【００３８】
撮影レンズ１４は、図１に示すように、カメラボディ１２の正面右端寄りの位置に配置されている。この撮影レンズ１４は、沈胴式のズームレンズで構成されており、デジタルカメラ１０の電源をＯＮすると、カメラボディ１２から自動で繰り出され、ＯＦＦすると、自動で沈胴される。また、この撮影レンズ１４の先端部には、開閉自在なレンズカバー１４Ａが設けられており、撮影レンズ１４の沈胴／繰り出しに連動して自動で開閉される。なお、図１は、電源ＯＦＦ時におけるデジタルカメラ１０の状態が示されており、撮影レンズ１４が沈胴し、レンズカバー１４Ａが閉じられた状態になっている。
【００３９】
フラッシュ１６は、カメラボディ１２の正面右上隅に配置されている。このフラッシュ１６は、キセノン管で構成されており、撮影時に必要に応じて発光される。
【００４０】
ＡＦ補助光ランプ１８は、フラッシュ１６の下に配置されている。このＡＦ補助光ランプ１８は、高輝度のＬＥＤランプで構成されており、ＡＦ時に必要に応じて発光される。なお、このＡＦ補助光ランプ１８は、セルフタイマランプの機能も有しており、セルフタイマ撮影時に所定の態様で発光されて、被写体に撮影タイミングを告知する。
【００４１】
マイク２０は、撮影レンズ１４の右下に配置されている。なお、本実施の形態のデジタルカメラ１０は、動画撮影機能と音声メモの録音機能を備えており、マイク２０は、この動画撮影と音声メモの録音時に使用される。
【００４２】
シャッタボタン２２は、いわゆる「半押し」と「全押し」とからなる二段ストローク式の押下ボタンで構成されており、円形状に形成されている。このシャッタボタン２２は、カメラボディ１２を把持した右手の人指し指が押下操作可能な位置に配置されており、カメラボディ１２の上面左端寄りの位置（正面から見た場合）配置されている。撮影時、デジタルカメラ１０は、このシャッタボタン２２が半押しされると、ＡＥ／ＡＦ等の撮影準備処理を行い、全押しされると、画像の撮影、記録を行う。
【００４３】
ズームレバー２４は、リング状に形成されており、シャッタボタン２２の周囲を囲うように取り付けられている。このズームレバー２４は、図示しない付勢手段に付勢されて、所定の中立点を中心に左右方向に揺動自在に設けられている。撮影時、デジタルカメラ１０は、このズームレバー２４が一方側に揺動操作されると、撮影レンズ１４がテレ方向にズーミングされ、他方側に揺動操作されると、撮影レンズ１４がワイド方向にズーミングされる。また、再生時、デジタルカメラ１０は、このズームレバー２４が一方側に揺動操作されると、液晶モニタ２８に表示されている画像が拡大表示され、他方側に揺動操作されると、縮小表示される。
【００４４】
電源ボタン２６は、押下式のボタンで構成されており、カメラボディ１２の上面ほぼ中央位置に配置されている。デジタルカメラ１０は、この電源ボタン２６が押下されることにより、電源がＯＮ／ＯＦＦされる。
【００４５】
液晶モニタ２８は、図２、３に示すように、カメラボディ１２の背面左端寄りの位置に配置されている。この液晶モニタ２８は、撮影済み画像を表示するための画像表示部として利用されるとともに、各種設定時にＧＵＩとして利用される。また、撮影時には、撮像素子で捉えた画像がスルー表示されて、電子ファインダとして利用される。
【００４６】
モードダイヤル３０は、円盤状に形成されており、カメラボディ１２の背面右上隅に配置されている。このモードダイヤル３０は、図示しないクリック機構により、一定の回転角度間隔で回動操作可能に設けられている。デジタルカメラ１０は、このモードダイヤル３０の設定位置に応じた撮影モード（たとえば、オート撮影モード、動画撮影モード、マニュアル撮影モード、シーンプログラム撮影モード等）に設定される。
【００４７】
ＭＥＮＵ／ＯＫボタン３２は、押下式のボタンで構成されており、モードダイヤル３０の下方位置に配置されている。このＭＥＮＵ／ＯＫボタン３２は、メニュー画面の呼び出しを指示する機能を有するとともに、そのメニュー画面等で選択した内容の確定や処理の実行を指示する機能を有しており、デジタルカメラ１０の状態に応じて、割り当てられる機能が切り替えられる。
【００４８】
本実施の形態のデジタルカメラ１０では、このＭＥＮＵ／ＯＫボタン３２の押下によって液晶モニタ上に呼び出されるメニュー画面を利用して、カメラの各種設定が行われる。
【００４９】
十字ボタン３４は、ドーナツ状に形成されており、ＭＥＮＵ／ＯＫボタン３２の周囲を囲うように取り付けられている。この十字ボタン３４は、上下左右４方向に押下操作可能に設けられており、各方向には、デジタルカメラ１０の状態に応じて、割り当てられる機能が切り替えられる。たとえば、撮影モード時には、左ボタンにマクロ機能のＯＮ／ＯＦＦを切り替える機能が割り当てられ、右ボタンにフラッシュのモード（たとえば、オート発光／強制発光／発光禁止／赤目軽減発光等）を切り替える機能が割り当てられる。また、上ボタンに液晶モニタ２８の明るさを替える機能が割り当てられ、下ボタンにセルフタイマのＯＮ／ＯＦＦを切り替える機能が割り当てられる。また、再生モード時には、左ボタンにコマ送りの機能が割り当てられ、右ボタンにコマ戻しの機能が割り当てられる。また、上ボタンに液晶モニタ２８の明るさを替える機能が割り当てられ、下ボタンに再生中の画像を削除する機能が割り当てられる。また、各種設定時には、液晶モニタ２８に表示されたカーソルを各ボタンの方向に移動させる機能が割り当てられる。
【００５０】
再生ボタン３６は、押下式のボタンで構成されており、十字ボタン３４の右上位置に配置されている。デジタルカメラ１０は、撮影中、この再生ボタン３６が押されると、再生モードに切り替えられる。また、電源ＯＦＦの状態でこの再生ボタン３６が一定時間押されると、再生モードの状態で起動する。
【００５１】
ファンクションボタン３８は、押下式のボタンで構成されており、十字ボタン３４の左上位置に配置されている。このファンクションボタン３８には、デジタルカメラ１０の状態に応じて、割り当てられる機能が切り替えられる。たとえば、撮影モード時には、画像サイズや感度等の設定画面を呼び出す機能が割り当てられ、再生モード時には、スライドショーやプリント予約の画面を呼び出す機能が割り当てられる。
【００５２】
ＤＩＳＰ／ＢＡＣＫボタン４０は、押下式のボタンで構成されており、十字ボタン３４の左下位置に配置されている。このＤＩＳＰ／ＢＡＣＫボタン４０は、液晶モニタ２８の表示内容の切り替え指示（ＤＩＳＰ機能）に用いられるとともに、入力操作のキャンセル等の指示（ＢＡＣＫ機能）に用いられ、デジタルカメラ１０の状態に応じて割り当てられる機能が切り替えられる。
【００５３】
露出補正ボタン４２は、押下式のボタンで構成されており、十字ボタン３４の右下位置に配置されている。この露出補正ボタン４２は、撮影時に露出補正の設定画面の呼び出しの指示に用いられる。
【００５４】
スピーカ４４は、図２、図３に示すように、カメラボディ１２の底面中央やや左寄り位置に配置されている。このスピーカ４４は、動画再生時における音声の出力やメモ録音された音声の再生出力に用いられる。
【００５５】
三脚ネジ穴４６は、カメラボディ１２の底面左端寄りの位置に設けられており、デジタルカメラ１０を三脚に取り付ける際に使用される。
【００５６】
バッテリカバー４８は、カメラボディ１２の底面右端に設けられており、長手方向の一端（図２、３において左端）を中心に揺動して開閉される。このバッテリカバー４８を開くと、その内側には、バッテリを収納するためのバッテリ収納室及びメモリカードを装着するためのメモリカードスロットが設けられている。
【００５７】
赤外線通信ポート５４は、図２、３に示すように、カメラボディ１２の側面のほぼ中央位置に配置されている。この赤外線通信ポート５４は、赤外線通信機能を有する外部機器との間で赤外線通信を行う際に使用される。
【００５８】
端子部５２は、カメラボディ１２の側面下部近傍に配置されている。この端子部５２は、図４、５に示すように、片側二カ所のコーナー部に丸みを持たせたほぼ矩形状の凹部として、カメラボディ１２の外観を構成する外装体６０の表面に一体的に形成されている。ＰＣ接続端子５６及び電源端子５８は、この端子部５２の底面に先端の接続部が露出するように設けられている。
【００５９】
上記のように、端子部５２は、端子カバー５０によって開閉され、この端子カバー５０が、端子部５２に装着されることにより、ＰＣ接続端子５６及び電源端子５８の先端の接続部が覆われる。
【００６０】
図６は、この端子カバー５０を外側から見た斜視図であり、図７は、内側から見た斜視図である。
【００６１】
同図に示すように、端子カバー５０は、端子部５２に装着されるカバー本体６２と、そのカバー本体６２の内側から垂直に延びる板状の引出片６４と、引出片の先端片側面から突出して設けられた楔状のストッパ部６６とからなり、弾性材（たとえば、エラストマ、ゴム、ポリプロピレン等）によって一体成形されている。
【００６２】
カバー本体６２は、ほぼ矩形状の凹部として形成された端子部５２の内周形状に合致した外周形状を有する板状に形成されており、端子部５２の内側に嵌合させて装着される。
【００６３】
このカバー本体６２の内側面には、図７に示すように、ＰＣ接続端子５６の先端部が嵌合するＰＣ接続端子用凹部６８と、電源端子５８の先端部が嵌合する電源端子用凹部７０とが、ＰＣ接続端子５６と電源端子５８の先端部の設置位置に対応して形成されている。したがって、このカバー本体６２を端子部５２に嵌めて装着すると、ＰＣ接続端子５６の先端部と電源端子５８の先端部とが、それぞれＰＣ接続端子用凹部６８と電源端子用凹部７０に嵌合する。
【００６４】
また、このカバー本体６２の外側面には、図６に示すように、爪掛け部７２が一体成形されている。この爪掛け部７２は、端子部５２に装着されたカバー本体６２を外す際、爪を掛けて容易に外せるようにするためのものであり、矩形状の凸部として、カバー本体６２の片側の縁部の中央に突出して形成されている。この爪掛け部７２の側面には、凹部７２Ａが形成されており（図１５、図１６参照）、この凹部７２Ａに爪が掛けられるようにされている。
【００６５】
引出片６４は、長方形の板状に形成されており、図７に示すように、カバー本体６２の内側から垂直に延設されている。この引出片６４は、端子部５２の底面に形成された引出孔７４から引き出され、この引出孔７４の設置位置に対応して設けられている。
【００６６】
ここで、この端子部５２の底面に形成される引出孔７４は、図５に示すように、引出片６４の断面形状に合致して形成されており、長方形状に形成されている。
【００６７】
なお、この引出孔７４は、カメラの組み立て過程で形成される。すなわち、外装体６０を構成するリアキャビネット６０Ｒには、引出孔７４に対応する位置に所定形状の切欠き部７４Ｒが形成されており、このリアキャビネット６０Ｒをフロントキャビネット６０Ｆに取り付けると、そのフロントキャビネット６０Ｆに形成された板状片７４Ｆと切欠き部７４Ｒとの間に隙間が形成され、この隙間が引出孔７４となる。したがって、端子カバー５０の取り付けに際して、引出片６４を引出孔７４Ｆに差し込んで通すという工程はなく、リアキャビネット６０Ｒをフロントキャビネット６０Ｆに取り付けることにより、自動的に引出孔７４に通される。
【００６８】
なお、引出孔７４の一部は、電源端子５８の側面で構成される。
【００６９】
ストッパ部６６は、引出片６４の先端部の片側面に突出して形成されている。このストッパ部６６は、楔状に形成されており、先端に向かって鋭角に傾斜して形成されるとともに、後端部が直角に形成されている。
【００７０】
図８は、デジタルカメラ内部の構成を示す分解斜視図である。
【００７１】
同図に示すように、外装体６０の内側には、実装基板やフレーム等の各種板状部材が、撮影レンズの光軸方向に積層されて配置されている。
【００７２】
デジタルカメラ１０の組み立て時は、これら板状部材をフロントキャビネット６０Ｆ側から順に積層させて組み立ててゆく。すなわち、各部品は、フロントキャビネット６０Ｆの内側に順に落とし込むようにして取り付けられてゆく。
【００７３】
なお、図８は、メイン基板７６までが取り付けられた状態が示されている。本実施の形態のデジタルカメラ１０では、この後、図９に示すように、メイン基板７６の上に端子カバー５０が取り付けられ、その端子カバー５０が取り付けられたメイン基板７６の上に液晶モニタ２８の保持フレーム７８が重ねて取り付けられる（図１０参照）。そして、その保持フレーム７８に液晶モニタ２８が取り付けられ、最後にリアキャビネット６０Ｒが取り付けられて、組み上げられる。
【００７４】
さて、上記のように、端子カバー５０は、メイン基板７６の上に取り付けられる。すなわち、図９に示すように、その引出片６４をメイン基板７６の上に載置して取り付けられる。この際、引出片６４は、ストッパ部６６が形成されていない方の面を下側にして、メイン基板７６の上に載置して取り付けられる。
【００７５】
メイン基板７６は、この端子カバー５０の引出片６４が載置される部位が平坦に形成されている。したがって、メイン基板７６に載置された端子カバー５０の引出片６４は、メイン基板７６の上を摺動自在に支持される。
【００７６】
また、このメイン基板７６には、ＰＣ接続端子５６及び電源端子５８が実装されており、このうち電源端子５８については、図１１〜図１３に示すように、直方体のブロック状に形成されて、その一部がメイン基板７６の上面（端子カバー５０の引出片６４が載置される面）から突出して設けられている。
【００７７】
この電源端子５８の側面５８Ａは、電源端子５８の挿抜方向と平行に形成されており、端子カバー５０は、メイン基板７６の上に載置して取り付ける際、その引出片６４の片縁が、電源端子５８の側面５８Ａに当接するように取り付けられる。この結果、引出片６４は、電源端子５８の側面５８Ａをガイドとして、電源端子５８の挿抜方向に沿って摺動自在に支持される。
【００７８】
なお、この端子カバー５０をメイン基板７６に取り付ける際は、カバー本体６２の内側面に形成されたＰＣ接続端子用凹部６８と電源端子用凹部７０にＰＣ接続端子５６の先端部と電源端子５８の先端部を嵌合させて取り付ける。これにより、メイン基板７６の上に載置された端子カバー５０が、正規の取り付け位置に位置決めされて取り付けられるとともに、メイン基板７６から脱落しないように仮止めされる。
【００７９】
なお、ＰＣ接続端子５６は、メイン基板７６の下側の面（端子カバー５０が載置される面の逆側の面）に実装されており、電源端子５８と同じ方向に挿抜されるように設置されている。
【００８０】
端子カバー５０をメイン基板７６に取り付けた後、図１０に示すように、その端子カバー５０の引出片６４を上から覆うようにして、液晶モニタ２８の保持フレーム７８が取り付けられる。
【００８１】
この液晶モニタ２８の保持フレーム７８は、金属性の薄いプレートで形成されており、メイン基板７６にネジ止めされて取り付けられる。
【００８２】
また、この保持フレーム７８には、引出片６４の設置位置に対応する部位に抜止部７８Ａが一体的に形成されている。この折曲部７８Ａは、引出片６４の幅とほぼ同じ幅を有する矩形状の突片として形成されており、保持フレーム７８の一部をメイン基板７６側に直角に折り曲げて形成されている。
【００８３】
端子カバー５０が取り付けられたメイン基板７６に、この保持フレーム７８を取り付けると、図１４及び図１５に示すように、抜止部７８Ａが、端子カバー５０の引出片６４の上面（ストッパ部６６が形成された面）に当接する。そして、このように引出片６４に当接した抜止部７８Ａは、引出片６４の抜け止めとして機能し、図１６に示すように、引出片６４を引き出すと、その引出片６４に形成されたストッパ部６６に係合して、引出片６４の移動を係止する。
【００８４】
なお、抜止部７８Ａは、図１７に示すように、その先端からメイン基板７６までの距離（抜止部７８Ａの先端とメイン基板７６との間に形成される隙間の幅）ｔ１が、端子カバー５０の引出片６４の厚さｔ２以下に形成される（ｔ１≦ｔ２）。この結果、図１８に示すように、引出片６４は、保持フレーム７８が取り付けられると、その保持フレーム７８の抜止部７８Ａとメイン基板７６との間で挟持される。そして、このように抜止部７８Ａとメイン基板７６との間で引出片６４を挟持することにより、引出片６４の抜き差しに摩擦抵抗が与えられ、引出片６４の保持が、より確実なものとなる。また、引出片６４の抜き差しの操作感も向上する。
【００８５】
このように、保持フレーム７８をメイン基板７６に取り付けると、端子カバー５０は、その引出片６４が保持フレーム７８の抜止部７８Ａとメイン基板７６との間で挟持され、これにより、脱落することなくカメラボディ１２に取り付けられる。
【００８６】
この後、保持フレーム７８には、液晶モニタ２８が取り付けられ、その液晶モニタ２８が取り付けられたフロントキャビネット６０Ｆにリアキャビネット６０Ｒが取り付けられ、デジタルカメラ１０が組み上げられる。
【００８７】
なお、上記のように、フロントキャビネット６０Ｆにリアキャビネット６０Ｒを取り付けると、フロントキャビネット６０Ｆに形成された板状片７４Ｆとリアキャビネット６０Ｒに形成された切欠き部７４Ｒとの間に引出孔７４が形成され、この引出孔７４の中を端子カバー５０の引出片６４が通される。
【００８８】
この引出孔７４に通された端子カバー５０の引出片６４には、ストッパ部６６が形成された面と同じ面にロック部６４Ａが形成されている。このロック部６４Ａは、断面半円状の突起部として引出片６６の長手方向と直交して形成されている。そして、カバー本体６２から所定距離の位置に形成されている。すなわち、リアキャビネット６０Ｒの切欠き部７４Ｒの肉厚分の位置に形成されている。これにより、カバー本体６２を閉じると、引出片６４のロック部６４Ａが、引出孔７４の周縁の内側に係止され、引出片６４が容易に抜けないように仮止めされる。カバー本体６２を開くときは、このロック部６４Ａを弾性変形させて、引出孔７４を通過させる。なお、このようにロック部６４Ａは、カバー本体６２を閉じた際に引出片６４を仮止めするものであるため、その突起量は、仮止めの機能を必要十分に満たせる量に設定される。
【００８９】
以上のように構成された本実施の形態のデジタルカメラ１０によれば、その組み立てに際して、端子カバー５０を含む内部部品を一方向に積層して組み立ててゆく構成のため、組み立てを極めて容易に行うことができる。すなわち、端子カバー５０の引出片６４を所定の引出孔に差し込んで取り付けたり、別部品を引出片６４に取り付けて抜け止めしたりする必要がないので、極めて簡単に組み立てることができる。
【００９０】
また、このようにして組み立られて、取り付けられた端子カバー５０は、その引出片６４に形成されたストッパ部６６が、保持フレーム７８に形成された抜止部７８Ａによって確実に係止されるため、抜け落ちることがない。
【００９１】
端子カバー５０の着脱に際して、引出片６４が端子の挿抜方向に沿って抜き差しされるため、スムーズに端子カバー５０を着脱することができる。また、この際、引出片６４に適度な摩擦抵抗が与えられるため、良好な操作感を与えることができる。
【００９２】
また、本実施の形態のデジタルカメラ１０では、端子カバー５０の引出片６４をガイドする機構、及び、ストッパ部６６を係止する機構が、すべてカメラ内部の部品に一体的に形成されているため、別部品を必要とすることがなく、きわめてシンプルな構成にすることができる。特に、本実施の形態のデジタルカメラ１０では、電源端子５８の側面を利用して、引出片６４を電源端子５８の挿抜方向にガイドする構成としているので、メイン基板７６上に別途ガイド部材を形成する必要がなく、さらに構成を簡素化することができる。
【００９３】
また、本実施の形態のデジタルカメラ１０では、カバー本体６２の内側面にＰＣ接続端子５６の先端部が嵌合するＰＣ接続端子用凹部６８と、電源端子５８の先端部が嵌合する電源端子用凹部７０とが形成されているため、端子カバー５０の取り付けに際して、端子カバー５０の位置決めを容易に行うことができるとともに、仮止めも行うことができ、組み立てを極めて容易に行うことができる。
【００９４】
なお、上記実施の形態では、端子カバー５０の引出片６４を直動ガイドする構成として、メイン基板７６上に所定量突出させて配置した電源端子５８の側面を利用する構成としているが、引出片６４を電源端子５８の挿抜方向にガイドする構成は、これに限定されるものではい。
【００９５】
同様に、上記実施の形態では、保持フレーム７８の一部を折り曲げて形成した抜止部７８Ａによって端子カバー５０の引出片６４の抜け止めを行うようにしているが、抜止部の構成は、これに限定されるものではい。
【００９６】
図１９、図２０は、引出片６４のガイド機構と抜け止め機構の他の一例を示す斜視図である。
【００９７】
同図に示すように、メイン基板７６の上面（引出片６４が載置される面）に一対のガイドリブ８０を一体的に形成し、この一対のガイドリブ８０の間に引出片６４を通して、電源端子５８の挿抜方向に直動ガイドする。一対のガイドリブ８０は、引出片６４の幅と同じ幅間隔をもってメイン基板７６上に形成されるとともに、電源端子５８の挿抜方向に沿って形成される。引出片６４は、その両縁部をガイドリブ８０の内壁面にガイドされて、電源端子５８の挿抜方向に直動ガイドされる。
【００９８】
なお、本例では、一対のリブによって、引出片６４を直動ガイドする構成としているが、一対のリブに代えて一対のピン等で構成することもできる。
【００９９】
一方、引出片６４の抜け止めは、保持フレーム７８の下側の面（メイン基板７６と対向する面）に突起部８２を一体的に形成し、この突起部８２を引出片６４に形成されたストッパ部６６に係止させて、引出片６４を抜け止めする（図２０参照）。
【０１００】
なお、このように突起部８２は、抜け止めとして機能することから、保持フレーム７８をメイン基板７６に取り付けた際、引出片６４の上面（ストッパ部６６が形成された面）に当接する位置に配置される。
【０１０１】
また、突起部８２は、図２１に示すように、突起部８２の先端からメイン基板７６の上面までの距離（突起部８２の先端とメイン基板７６との間に形成される隙間の幅）ｔ１が、引出片６４の厚さｔ２以下に形成される（ｔ１≦ｔ２）。これにより、引出片６４が、突起部８２とメイン基板７６との間で挟持され、引出片６４の保持をより確実なものとすることができる。また、引出片６４を抜き差しする際、所定の摩擦抵抗が与えられ、引出片６４の抜き差しの操作感が向上する。
【０１０２】
図２２、図２３も引出片６４のガイド機構と抜け止め機構の他の一例を示す斜視図である。
【０１０３】
同図に示すように、メイン基板７６の上面（引出片６４が載置される面）にガイド溝８４を一体的に形成し、このガイド溝８４に引出片６４を嵌めて、引出片６４を電源端子５８の挿抜方向に直動ガイドする。なお、このようにガイド機能を持たせることから、ガイド溝５４は、引出片６４の幅と同じ幅をもって形成される。
【０１０４】
引出片６４の抜け止めは、保持フレーム７８に長尺状のガイド孔８６を一体的に形成し、このガイド孔８６の端部に形成されたストッパ部６６に係止させて、引出片６４を抜け止めする（図２３（ｂ）参照）。なお、ガイド孔８６は、その内周部をストッパ部６６が挿通できるように、電源端子５８の挿抜方向に沿って形成されるとともに、所定位置でストッパ部６６が、端部に当接するように形成される。
【０１０５】
また、保持フレーム７８は、図２４に示すように、その下面（メイン基板７６と対向する面）からガイド溝８４の底面までの距離ｔ１が、引出片６４の厚さｔ２以下に形成される（ｔ１≦ｔ２）。これにより、引出片６４が、保持フレーム７８とメイン基板７６との間で挟持され、引出片６４の保持をより確実なものとすることができる。また、引出片６４を抜き差しする際、所定の摩擦抵抗が与えられ、引出片６４の抜き差しの操作感が向上する。
【０１０６】
なお、上記例では、保持フレーム７８にガイド孔８６を形成して、引出片６４の抜け止めを行う構成としているが、保持フレーム７８に貫通して形成されるガイド孔に代えて、所定深さのガイド溝を形成して抜け止めを行う構成としてもよい。
【０１０７】
また、ガイド孔８６は、必ずしも引出片６４と同じ幅をもって形成する必要はないが、引出片６４と同じ幅で形成した場合には、ストッパ部６６を介して引出片６４を直動ガイドすることができる。この場合、メイン基板７６に形成するガイド機構は必ずしも必要ではなくなる。
【０１０８】
また、引出片６４は、引出孔７４に通されることにより、ある程度のガイド作用を持たせることができるので、メイン基板７６に形成するガイド機構は必ずしも設ける必要はない。
【０１０９】
なお、図１９〜図２１で示した例では、引出片６４のガイド機構をメイン基板７６に形成した一対のガイドリブ８０で構成し、抜け止めを保持フレーム７８に形成された突起部８２で構成しているが、抜け止めを図２２〜図２４で示したガイド溝で構成してもよい。
【０１１０】
同様に図２２〜図２４で示した例では、引出片６４のガイド機構をメイン基板７６に形成したガイド溝８４で構成し、抜け止めを保持フレーム７８に形成されたガイド孔８６で構成しているが、抜け止めを保持フレーム７８に形成された突起部８２で構成してもよい。
【０１１１】
すなわち、引出片６４のガイド機構と抜け止めは、適宜組み合わせを変えて使用することができる。したがって、上記実施の形態で説明したデジタルカメラにおけるガイド機構と抜け止め機構も適宜他の機構に変えることができる。
【０１１２】
なお、このようにガイド機構と抜け止め機構の組み合わせを変える場合も、引出片６４が抜止部とメイン基板との間に挟持されるようにすることが好ましい（図２１、図２４参照）。これにより、引出片６４の保持をより確実なものとすることができ、また、引出片６４の抜き差しの操作感も向上させることができる。
【０１１３】
また、操作感を更に向上させるため、抜止部７８Ａを図２５及び図２６に示すように構成してもよい。すなわち、保持フレーム７８に板バネ部７８Ｂを一体的に形成し、その板バネ部７８の先端部に抜止部７８Ａを一体的に形成する。これにより、保持フレーム７８をメイン基板７６に取り付けると、板バネ部７８のバネ力により、抜止部７８Ａが端子カバー５０の引出片６４を押圧し、引出片６４の抜き差しに更に良好な抵抗感を与えることができる。
【０１１４】
なお、図２６に示すように、抜止部７８Ａは、ストッパ部６６に係合する面を直角に形成し、ストッパ部６６が確実に係止されるように構成する。
【０１１５】
なお、抜け止めをより確実なものとするため、抜止部７８Ａとストッパ部６６の形状を図２７に示すように形成してもよい。すなわち、ストッパ部６６の後端部に鋭角の切り込み部６６Ａを形成するとともに、抜止部７８Ａもこれに対応して鋭角状に屈曲させて形成する。これにより、係止時に抜止部７８Ａがストッパ部６６に噛み合い、より強固に抜け止めが施される。
【０１１６】
なお、上記実施の形態では、端子カバー５０をメイン基板７６に載置して取り付ける構成としているが、端子カバー５０を載置して取り付ける部材は、これに限定されるものではない。外装体６０の内部に積層して配置される板状の部材であれば、他の部材に取り付けるようにしてもよい。
【０１１７】
また、上記実施の形態では、液晶モニタ２８の保持フレーム７８に抜止部７８Ａを設ける構成としているが、抜止部７８Ａを設ける部材は、これに限定されるものではない。外装体６０の内部に積層して配置される板状の部材であれば、他の部材に設けるようにしてもよい。また、必ずしも端子カバーが取り付けられた部材に直接取り付けられる部材である必要もない。
【０１１８】
また、上記実施の形態では、電源端子とＰＣ接続端子を覆う端子カバーに本発明を適用した場合を例に説明したが、他の端子を覆うカバーにも本発明は同様に適用することができる。
【０１１９】
また、上記実施の形態では、本発明をデジタルカメラに適用した場合を例に説明したが、本発明の適用は、これに限定されるものではない。端子カバーを備え、内部に基板等の板状部品が積層して配置さえる機器であれば、他の電子機器にも同様に適用することができる。
【図面の簡単な説明】
【０１２０】
【図１】デジタルカメラの外観構成を示す正面斜視図
【図２】デジタルカメラの外観構成を示す背面斜視図
【図３】デジタルカメラの外観構成を示す背面斜視図
【図４】端子部を拡大した斜視図
【図５】端子部を拡大した斜視図
【図６】端子カバーを外側から見た斜視図
【図７】端子カバーを内側から見た斜視図
【図８】デジタルカメラ内部の構成を示す分解斜視図
【図９】デジタルカメラ内部の構成を示す斜視図
【図１０】デジタルカメラ内部の構成を示す斜視図
【図１１】端子カバーの取り付け部を拡大した斜視図
【図１２】端子カバーの取り付け部を拡大した斜視図
【図１３】端子カバーの取り付け部を拡大した斜視図
【図１４】端子カバーの取り付け部を拡大した斜視図
【図１５】端子カバーの取り付け部を拡大した断面斜視図
【図１６】端子カバーの取り付け部を拡大した断面斜視図
【図１７】端子カバーの取り付け部の断面図
【図１８】端子カバーの取り付け部の断面図
【図１９】引出片のガイド機構と抜け止め機構の他の一例を示す斜視図
【図２０】引出片のガイド機構と抜け止め機構の他の一例を示す斜視図
【図２１】引出片のガイド機構と抜け止め機構の他の一例を示す断面図
【図２２】引出片のガイド機構と抜け止め機構の他の一例を示す斜視図
【図２３】引出片のガイド機構と抜け止め機構の他の一例を示す斜視図
【図２４】引出片のガイド機構と抜け止め機構の他の一例を示す断面図
【図２５】抜止部の他の一例を示す斜視図
【図２６】抜止部の他の一例を示す断面図
【図２７】抜止部の他の一例を示す断面図
【符号の説明】
【０１２１】
１０…デジタルカメラ、１２…カメラボディ、１４…撮影レンズ、１４Ａ…レンズカバー、１６…フラッシュ、１８…ＡＦ補助光ランプ、２０…マイク、２２…シャッタボタン、２４…ズームレバー、２６…電源ボタン、２８…液晶モニタ、３０…モードダイヤル、３２…ＭＥＮＵ／ＯＫボタン、３４…十字ボタン、３６…再生ボタン、３８…ファンクションボタン、４０…ＤＩＳＰ／ＢＡＣＫボタン、４２…露出補正ボタン、４４…スピーカ、４６…三脚ネジ穴、４８…バッテリカバー、５０…端子カバー、５２…端子部、５４…赤外線通信ポート、５６…ＰＣ接続端子、５８…電源端子、６０…外装体、６０Ｆ…フロントキャビネット、６０Ｒ…リアキャビネット、６２…カバー本体、６４…引出片、６４Ａ…ロック部、６６…ストッパ部、６６Ａ…切り込み部、６８…ＰＣ接続端子用凹部、７０…電源端子用凹部、７２…爪掛け部、７２Ａ…凹部、７４…引出孔、７４Ｒ…切欠き部、７４Ｆ…板状片、７６…メイン基板、７８…保持フレーム、７８Ａ…抜止部、８０…ガイドリブ、８２…突起部、８４…ガイド溝、８６…ガイド孔
【図１】
2008198806.tif 000003
【図２】
2008198806.tif 000004
【図３】
2008198806.tif 000005
【図４】
2008198806.tif 000006
【図５】
2008198806.tif 000007
【図６】
2008198806.tif 000008
【図７】
2008198806.tif 000009
【図８】
2008198806.tif 000010
【図９】
2008198806.tif 000011
【図１０】
2008198806.tif 000012
【図１１】
2008198806.tif 000013
【図１２】
2008198806.tif 000014
【図１３】
2008198806.tif 000015
【図１４】
2008198806.tif 000016
【図１５】
2008198806.tif 000017
【図１６】
2008198806.tif 000018
【図１７】
2008198806.tif 000019
【図１８】
2008198806.tif 000020
【図１９】
2008198806.tif 000021
【図２０】
2008198806.tif 000022
【図２１】
2008198806.tif 000023
【図２２】
2008198806.tif 000024
【図２３】
2008198806.tif 000025
【図２４】
2008198806.tif 000026
【図２５】
2008198806.tif 000027
【図２６】
2008198806.tif 000028
【図２７】
2008198806.tif 000029